(57)【要約】【課題】本発明は、スクリーン使用時に皺や変形が生じにくく、また、携帯や不使用時には小さく巻回できるマグネットスクリーン装置を提供する。【解決手段】スクリーン（１０）の一端に永久磁石（２１）、（２１）を設けると共に、スクリーン１０の前記一端に固定バー（２０）を固着し、スクリーン（１０）の他端に永久磁石（３１）、（３１）を設けると共に、スクリーン（１０）の前記他端に巻回バー（３０）を固着して、スクリーン（１０）を巻回バー（３０）を介して巻回することにより固定バー（２０）と巻回バー（３０）とを磁着して合体できるようにしたもの。【選択図】        図１
2014016442.tif 000002
【特許請求の範囲】
【請求項１】
一端の両側に永久磁石（２１）及び（２１）を固着し、他端の両側に永久磁石（３１）及び（３１）を固着したスクリーン（１０）と、スクリーン（１０）の一端に固着した固定バー（２０）と、スクリーン（１０）の他端に固着した巻回バー（３０）とを備え、巻回バー（３０）を介してスクリーン（１０）を巻き終わったときに、スクリーン（１０）の一端に固着した永久磁石（２１）及び（２１）に、スクリーン（１０）の他端に固着した永久磁石（３１）及び（３１）が磁着して固定バー（２０）に巻回バー（３０）が合体できるように、スクリーン（１０）の巻回長さを形成したことを特徴としたマグネットスクリーン装置。
【発明の詳細な説明】
【技術分野】
【０００１】
本発明は、磁性のある仕切板、壁、ホワイトボード、黒板等（以下、磁性板という。）に使用される映写用のマグネットスクリーン装置に関する。
【背景技術】
【０００２】
従来、磁性板に磁着するマグネットを具備したスクリーンは、使用時にスクリーンの皺のばしや変形の修正に手間取る欠点があり、また、機構複雑で嵩張り、携行に不便で、高価につく欠点があった。
【先行技術文献】
【特許文献】
【０００３】
【特許文献１】特開２００９−２１７１０２号公報
【特許文献２】特開２０１１−８０５４号公報
【特許文献３】特開２００２−３０８４号公報
【特許文献２】特表２００５−５３９２７２号公報
【発明の概要】
【発明が解決しようとする課題】
【０００４】
本発明は、使用時のスクリーンの展開や不使用時のスクリーンの巻回を迅速に行うことができると共に、その際に皺や変形が生じにくいマグネットスクリーン装置を提供するものである。
また、本発明は、スクリーンを巻回磁着させて巻物化し、不使用時又は携行に便利なようにしたマグネットスクリーン装置を提供するものである。
さらに、本発明は、軽量で、携帯に便利で、安価に製作できるマグネットスクリーン装置を提供するものである。
【課題を解決するための手段】
【０００５】
本発明マグネットスクリーン装置は、上記課題を達成するため、図示するように、一端の両側に永久磁石（２１）及び（２１）を固着し、他端の両側に永久磁石（３１）及び（３１）を固着したスクリーン（１０）と、スクリーン（１０）の一端に固着した固定バー（２０）と、スクリーン（１０）の他端に固着した巻回バー（３０）とを備え、巻回バー（３０）を介してスクリーン（１０）を巻き終わったときに、スクリーン（１０）の一端に固着した永久磁石（２１）及び（２１）に、スクリーン（１０）の他端に固着した永久磁石（３１）及び（３１）が磁着し、固定バー（２０）に巻回バー（３０）が合体できるように、スクリーン（１０）の巻回長さを形成したものである。
本発明において、スクリーンは、表面微細凹凸状（以下、マット状という。）の白色薄合成樹脂フィルムで、ホワイトボードや黒板に画かれた文字図形をデジタルカメラでフラッシュ撮影するときは、前記文字図形を透視できる半透明マット状薄合成樹脂フィルムを使用して、フラッシュによる写真の白ぼけを防止することができる。
また、本発明において、固定バーは、吊り下げ、巻き上げ形のスクリーンでは、スクリーンの上端に固着したバーで、スクリーンの下端に固着したバーが巻回バーになる。また、左右横開き形のスクリーンでは、スクリーンの左端（又は右端）に固着したバーが固定バーとなり、右端（又は左端）が巻回バーとなって横方向に巻き開き、巻き閉めされる。
巻回バーを巻回して、固定バーに合体させて磁着させるには、固定バーと巻回バーとに固着しているスクリーン長さを、巻回バーを巻回して固定バーに磁着させるスクリーンの巻回長さと一致させておく必要がある。
【発明の効果】
【０００６】
本発明は、巻回されたスクリーンを巻回バーを介して磁性板に接して展開して使用するので、マグネットスクリーンに生じやすい皺や変形が起こりにくく、また、スクリーンに半透明マット状スクリーンをホワイトボードや黒板に使用した場合は、ホワイトボードや黒板に画いた文字又は画像のカバースクリーンとしてデジカメフラッシュ時の白ぼけ防止スクリーンとして使用できる。また、本発明品は、軽量で、バーを巻回して固定バーと巻回バーとを合体すれば一体として磁性板に固着させたり、また、携行に便利な利点がある。
【図面の簡単な説明】
【０００７】
【図１】本発明の実施例を示す全体説明図である。
【図２】図１の使用状態の説明図である。
【図３】図１のスクリーンを巻回したときの説明図である。
【図４】本発明の別の実施例を示す全体説明図である。
【発明を実施するための形態】
【０００８】
本発明を実施するための形態が実施例１及び実施例２に示されている。
【実施例１】
【０００９】
本発明マグネットスクリーン装置の実施例１が図１乃至図３に示されている。本発明実施例１のマグネットスクリーン装置は、スクリーン１０と固定バー２０と、巻回バー３０からなる。
スクリーン１０は、吊り下げ型の映写用スクリーンで、表面マット状の白色薄合成樹脂フィルム製で上端の左右両側に薄厚の小円形のネオジウム等の永久磁石２１、２１を固着して、白色合成樹脂製のレールクリアホルダ形の固定バー２０の内部に、挿入されて固着される。スクリーン１０の下端は、紙製又は薄合成樹脂製円筒形の巻回バー３０に固着されると共に、下端の左右両側に薄厚の小円形の永久磁石３１、３１が埋設できるように固着される。
スクリーン１０の巻き上げ長さは、巻回バー３０の巻き上げが終わった時点で、スクリーン１０の下端に固着した永久磁石３１、３１がスクリーン１０上端に固着した永久磁石２１、２１に磁着されたときのスクリーン長さと等しくなるように作成される。
従って、固定バー２０に磁着して巻回を終えた巻回バー３０を固定バー２０から離して吊り下げると、スクリーン１０は巻き解かれながら背後の磁性板４０に引き延ばされてゆくので、従来のマグネットスクリーンのように変形したり皺を生ずることなく磁性板４０に貼られることになる。また、吊り上げるときは、巻回バー３０をそのまま磁性板４０に接しながら巻き上げて固定バー２０と磁着させればよく、携行のときは、固定バー２０と巻回バー３０は合体しているのでそのまま移動させればよい。
【実施例２】
【００１０】
本発明マグネットスクリーン装置の実施例２が図４に示されている。本発明実施例２のマグネットスクリーン装置は、スクリーン１０Ｂと固定バー２０Ｂと、巻回バー３０Ｂからなる。
スクリーン１０Ｂは、横型の左（又は右）右（又は左）開きの映写用スクリーンで、表面マット状の白色薄合成樹脂フィルム製で左端の上下端に薄厚の永久磁石２１Ｂ、２１Ｂを固着して、白色合成樹脂製のレールクリアホルダ形の固定バー２０Ｂの内部に、挿入されて固着される。
スクリーン１０Ｂの右端は、前記固定バー２０Ｂと同一の巻回バー３０の内部に挿入されて固着されると共に、スクリーン１０Ｂの右端の上下端に薄厚の永久磁石３１Ｂ、３１Ｂが固着される。
スクリーン１０Ｂの巻き回し長さは、巻回バー３０Ｂを右から左へと巻き回しが終わった時点で、スクリーン１０Ｂ右端の永久磁石３１Ｂ、３１Ｂが、スクリーン１０Ｂ左端に固着した永久磁石２１Ｂ、２１Ｂに磁着されたときのスクリーン長さと等しくなるように作成される。
従って、固定バー２０Ｂに磁着合体して巻回を終えた巻回バー３０Ｂを、固定バー２０Ｂから離して右へ巻き解いてゆくと、スクリーン１０Ｂは巻き解かれながら背後の磁性板４０に引き延ばされてゆくので、従来のマグネットスクリーンのように変形したり皺を生ずることなく磁性板４０に張られることになる。また、左へ巻き閉めるときは、巻回バー３０Ｂをそのまま磁性板４０に接しながら巻き閉めて固定バー２０Ｂと磁着させればよく、携行のときは、固定バー２０Ｂと巻回バー３０Ｂは合体しているのでそのまま移動させればよい。
【産業上の利用可能性】
【００１１】
本発明品は、小型、軽量、製作容易で安価に製造できる。
【符号の説明】
【００１２】
１０、１０Ｂ        スクリーン
２０、２０Ｂ        固定バー
２１、２１Ｂ        永久磁石
３０、３０Ｂ        巻回バー
３１、３１Ｂ        永久磁石
４０                磁性板
【図１】
2014016442.tif 000003
【図２】
2014016442.tif 000004
【図３】
2014016442.tif 000005
【図４】
2014016442.tif 000006